(57)【要約】【課題】構造が簡単で部品点数も少なく、低コストで製造可能なフックを提供する。【解決手段】フック本体１と、それぞれ共通のピン７によってフック本体の基部１ｄに取り付けられてピンのまわりに旋回可能とされた第１および第２ストッパ５、６が備えられる。第１ストッパは、フックを閉じる閉位置と、閉位置からフック本体外側に旋回してフックを開く開位置をとる。第２ストッパは、フックを閉じる閉位置と、閉位置からフック本体内側に旋回してフックを開く開位置をとる。ピンと第１および第２ストッパとの間にバネ１１が設けられ、第１および第２ストッパを開位置から閉位置に向けて弾性付勢する。第１および第２ストッパは互いに相似形となるコ字状横断面を有する。第１および第２ストッパが閉位置をとるとき、第２ストッパが第１ストッパの内側において第１ストッパと入れ子状に重なり合う。【選択図】図１
2019150231.tif 000002
【特許請求の範囲】
【請求項１】
高所作業現場において使用される高所作業用安全帯に備えられるフックであって、
鉤状のフック本体と、
それぞれ共通のピンによって前記フック本体の基部に取り付けられて前記ピンのまわりに旋回可能とされた第１および第２ストッパと、を備え、
前記第１ストッパは、前記フック本体の基部および先端間を閉じる閉位置と、前記閉位置から前記フック本体の外側に旋回して前記フック本体の基部および先端間を開く開位置をとる一方、前記第２ストッパは、前記フック本体の基部および先端間を閉じる閉位置と、前記閉位置から前記フック本体の内側に旋回して前記フック本体の基部および先端間を開く開位置をとるようになっており、さらに、
前記ピンと、前記第１および第２ストッパとの間に設けられ、前記第１および第２ストッパのそれぞれを前記開位置から前記閉位置に旋回する向きに弾性付勢するバネを備え、
前記第１ストッパが旋回方向の前記第２ストッパ側に開いた前記第２ストッパの収容空間を有し、前記第１および第２ストッパが前記閉位置をとるとき、前記第２ストッパが前記第１ストッパの前記収容空間に収容されるものであることを特徴とするフック。
【請求項２】
前記第１ストッパが、旋回方向の前記第２ストッパ側に開いたコ字状横断面を有していることを特徴とする請求項１に記載のフック。
【請求項３】
前記第２ストッパが前記第１ストッパの横断面と相似形をなすコ字状横断面を有し、前記第１および第２ストッパのそれぞれが前記閉位置をとるとき、前記第１および第２ストッパが互いに入れ子状に重なり合うものであることを特徴とする請求項２に記載のフック。
【発明の詳細な説明】
【技術分野】
【０００１】
本発明は、フック、特に、高所作業現場等で使用される墜落防止用保護具（高所作業用安全帯）のロープを固定用構造物に係止するため、あるいはロープと胴ベルトの接続のために使用されるフックに関するものである。
【背景技術】
【０００２】
この種のフックについては、安全確保の観点から、法令によって、構造上必要とされる要件「２つ以上の連続した操作によらなければ外れない外れ止め装置を備えていること」が定められており、従来のフックはすべてこの要件を満たすように設計されている。
【０００３】
従来のフックとしては、例えば、特許文献１に記載されたようなものがある。
図５は、この従来のフックの平面図であり、（Ａ）はフックのストッパが閉位置にある状態を示し、（Ｂ）はフックのストッパが開位置にある状態を示している。
図５に示すように、このフックは、鉤状の本体２０を有し、本体２０の基部２０ａに形成された命綱連結孔２９に、高所作業用安全帯の命綱の先端または後端が連結されるようになっている。
【０００４】
本体２０の基部２０ａには、また、ストッパ２１が、その一端２１ａを第１のピン２２によって取り付けられて、第１のピン２２のまわりに旋回可能とされ、そして、ストッパ２１は、本体２０の基部２０ａおよび先端２０ｂ間を閉じる閉位置（図５（Ａ）参照）と、本体２０の基部２０ａおよび先端２０ｂ間を開く開位置（図５（Ｂ）参照）をとるようになっている。
【０００５】
また、本体２０の基部２０ａ付近には、ロック部材２３が取り付けられている。ロック部材２３は、その一端を第２のピン２４によってストッパ２１に取り付けられて、第２のピン２４のまわりに旋回可能になっている。
【０００６】
ロック部材２３の側壁には、ロック部材２３の長さ方向にのびる第１スリット部分と、第１スリット部分からロック部材の幅方向にのびる第２スリット部分とからなるＬ字状のスリット２５が設けられている。さらに、本体２０の基部２０ａ付近には、第３のピン２６が取り付けられてスリット２５内に挿入されている。
【０００７】
第２のピン２４には、バネが取り付けられて、ストッパ２１およびロック部材２３に作用し、ストッパ２１を閉位置に向けて弾性付勢する一方、ロック部材２３を第３のピン２６がスリット２５の第２スリット部分に位置するように弾性付勢し、それによって、ストッパ２１は常時ロック部材２３によって閉位置にロックされるようになっている。
【０００８】
また、ハンドル２７が、その一端を第４のピン２８によって本体２０の中間部に取り付けられて、第４のピン２８のまわりに旋回可能になっている。
さらに、ハンドルの内側面には、ロック部材２３のストッパ２１から遠ざかる側の側縁に当接する隆起が設けられている。
【０００９】
そして、ハンドル２７が本体２０に向けて旋回せしめられると、ロック部材２３がハンドル２７の隆起によってストッパ２１に向けて押されて第３のピン２６がスリット２５の第２スリット部分から第１スリット部分に進入し、ロック部材２３によるロックが解除され、さらに、第３のピン２６が第１スリット部分の範囲内を移動しつつストッパ２１が本体に向けて旋回せしめられることで、ストッパ２１が開位置をとる。
【００１０】
開位置において、本体２０が高所作業現場の固定用構造物に引っ掛けられ、次いで、ハンドルが開放される。それによって、ストッパ２１は閉位置に戻り、ロック部材２３によってロックされる。
こうして、ロック部材２３のロックの解除、およびストッパ２１の旋回の２つの操作を連続して実行しなければ、フックを開くこと（フックを外すこと）ができないようになっている。
【００１１】
しかしながら、この従来のフックは、多数の部品（フック本体、ストッパ、ロック部材、ハンドル、第１〜第４のピン、バネ）から組み立てられた複雑な構造を有し、そのため、各部品の加工およびフックの組立にコストがかかるという問題があった。
【先行技術文献】
【特許文献】
【００１２】
【特許文献１】特許第３２８７９１８号公報
【発明の概要】
【発明が解決しようとする課題】
【００１３】
したがって、本発明の課題は、構造が簡単で部品点数も少なく、低コストで製造可能なフックを提供することにある。
【課題を解決するための手段】
【００１４】
上記課題を解決するため、本発明は、高所作業現場において使用される高所作業用安全帯に備えられるフックであって、鉤状のフック本体と、それぞれ共通のピンによって前記フック本体の基部に取り付けられて前記ピンのまわりに旋回可能とされた第１および第２ストッパと、を備え、前記第１ストッパは、前記フック本体の基部および先端間を閉じる閉位置と、前記閉位置から前記フック本体の外側に旋回して前記フック本体の基部および先端間を開く開位置をとる一方、前記第２ストッパは、前記フック本体の基部および先端間を閉じる閉位置と、前記閉位置から前記フック本体の内側に旋回して前記フック本体の基部および先端間を開く開位置をとるようになっており、さらに、前記ピンと、前記第１および第２ストッパとの間に設けられ、前記第１および第２ストッパのそれぞれを前記開位置から前記閉位置に旋回する向きに弾性付勢するバネを備え、前記第１ストッパが旋回方向の前記第２ストッパ側に開いた前記第２ストッパの収容空間を有し、前記第１および第２ストッパが前記閉位置をとるとき、前記第２ストッパが前記第１ストッパの前記収容空間に収容されるものであることを特徴とするフックを構成したものである。
【００１５】
上記構成において、好ましくは、前記第１ストッパが、旋回方向の前記第２ストッパ側に開いたコ字状横断面を有しており、より好ましくは、前記第２ストッパが前記第１ストッパの横断面と相似形をなすコ字状横断面を有し、前記第１および第２ストッパのそれぞれが前記閉位置をとるとき、前記第１および第２ストッパが互いに入れ子状に重なり合うようになっている。
【発明の効果】
【００１６】
本発明によれば、従来よりもフックの構造を簡単化し、フックの部品点数を減らすことができ、よって、フックの製造コストを大幅に低下させることができる。
さらには、フックが閉じているとき、第２ストッパは第１ストッパの収容空間に収容されていて、いきなり第２ストッパにアクセスできず、第２ストッパを操作するには、まず第１ストッパを閉位置から外側に旋回させて第２ストッパを露出させなければならない。
そして、フックを開くためには、第１ストッパを開位置まで旋回させ、その状態を保持しつつ、続いて第２ストッパを開位置まで旋回させなければならない。すなわち、２つの操作を連続して行わなければフックを外すことができず、よって、法令で定められたフックの構造上の要件も満たされており、安全性も確保されている。
【図面の簡単な説明】
【００１７】
【図１】本発明の１実施例によるフックの分解斜視図である。
【図２】図１のフックの平面図であり、（Ａ）は第１および第２ストッパがいずれも閉位置にある状態（フックが閉じた状態）を示し、（Ｂ）は第１ストッパが開位置にあり、第２ストッパが閉位置にある状態を示し、（Ｃ）は第１および第２ストッパがいずれも開位置にある状態（フックが開いた状態）を示している。
【図３】図１のフックの斜視図であり、（Ａ）は第１および第２ストッパがいずれも閉位置にある状態（フックが閉じた状態）を示し、（Ｂ）は第１ストッパが開位置にあり、第２ストッパが閉位置にある状態を示し、（Ｃ）は第１および第２ストッパがいずれも開位置にある状態（フックが開いた状態）を示している。
【図４】図１のフックの閉位置にある一方のストッパのみを示す平面図であり、（Ａ）は閉位置にある第１ストッパのみを示し、（Ｂ）は閉位置にある第２ストッパのみを示している。
【図５】フックの従来例を示す図であり、（Ａ）はストッパが閉位置にある状態を示す平面図であり、（Ｂ）はストッパが開位置にある状態を示す平面図である。
【発明を実施するための形態】
【００１８】
以下、添付図面を参照しつつ本発明の構成を好ましい実施例に基づいて説明する。
図１は、本発明の１実施例によるフックの分解斜視図である。図２は、図１のフックの平面図であり、（Ａ）は第１および第２ストッパがいずれも閉位置にある状態（フックが閉じた状態）を示し、（Ｂ）は第１ストッパが開位置にあり、第２ストッパが閉位置にある状態を示し、（Ｃ）は第１および第２ストッパがいずれも開位置にある状態（フックが開いた状態）を示している。
また、図３は、図１のフックの斜視図であり、（Ａ）は第１および第２ストッパがいずれも閉位置にある状態（フックが閉じた状態）を示し、（Ｂ）は第１ストッパが開位置にあり、第２ストッパが閉位置にある状態を示し、（Ｃ）は第１および第２ストッパがいずれも開位置にある状態（フックが開いた状態）を示している。
【００１９】
図１〜図３に示すように、本発明によれば、鉤状のフック本体１が備えられる。
フック本体１は、この実施例では、２枚の金属板２ａ、２ｂを重ね合せてリベット３で締結したものからなっており、先端１ａを含む逆Ｕ字状の頭部１ｂと、頭部１ｂから外向きに傾斜してのびる一対の中間部１ｃと、一対の中間部１ｃのそれぞれから頭部１ｂに平行にのびる一対の基部１ｄを有している。
一対の基部１ｄのそれぞれには、ストッパ取付穴４が形成されている。
【００２０】
そして、フック本体１の一対の基部１ｄには、第１および第２ストッパ５、６が共通のピン７によって取り付けられてピン７のまわりに旋回可能になっている。
【００２１】
第１ストッパ５は、この実施例では、直線状の平坦な第１部分５ａと、第１部分５ａに直交し第１部分５ａと一体化した直線状の平坦な第２部分５ｂと、第１部分５ａの両端縁から第１部分５ａに直角に起立した一対の第３部分５ｃと、第２部分５ｂの一端両側から第２部分５ｂに直角に起立した一対の第４部分５ｄとからなり、コ字状横断面を有している。
【００２２】
また、第３部分５ｃは第２部分５ｂに平行にかつ第４部分５ｄから遠ざかる向きにのびており、第３部分５ｃの先端に取付穴８が形成されている。
【００２３】
第２ストッパ６は、この実施例では、直線状の平坦な第１部分６ａと、第１部分６ａの一側から第１部分６ａに直角にのびる第２部分６ｂと、第１部分６ａの両端縁から第１部分６ａに直角に起立した一対の第３部分６ｃと、第２部分６ｂの先端両側から第２部分６ｂに直角に起立した一対の第４部分６ｄとからなり、第１ストッパ５の横断面と相似形をなすコ字状横断面を有している。
【００２４】
また、第３部分６ｃは第２部分６ｂに平行にかつ第４部分６ｄから遠ざかる向きに、第３部分６ｃの先端に取付穴９が形成されている。
【００２５】
そして、第１および第２ストッパ５、６は、第１ストッパ５の内側に第２ストッパ６が入れ子状に収容された状態で、フック本体１の一対の基部１ｄに外側から嵌め込まれるとともに、取付穴８および取付穴９がフック本体１のストッパ取付穴４に重ね合わされた状態で、ピン７によってフック本体１に取り付けられている。
【００２６】
それによって、第１ストッパ５は、フック本体１の一対の基部１ｄおよび先端１ａ間を閉じる閉位置（図２（Ａ）および図３（Ａ）参照）と、閉位置からフック本体１の外側に旋回してフック本体１の一対の基部１ｄおよび先端１ａ間を開く開位置（図２（Ｂ）、（Ｃ）および図３（Ｂ）、（Ｃ）参照）をとり得る一方、第２ストッパ６は、フック本体１の一対の基部１ｄおよび先端１ａ間を閉じる閉位置（図２（Ａ）、（Ｂ）および図３（Ａ）、（Ｂ）参照）と、閉位置からフック本体１の内側に旋回してフック本体１の一対の基部１ｄおよび先端１ａ間を開く開位置（図２（Ｃ）および図３（Ｃ）参照）をとり得る。
そして、第１および第２ストッパ５、６がそれぞれ閉位置をとるとき、第１および第２ストッパ５、６が互いに入れ子状に重なり合う。
【００２７】
この場合、図４（Ａ）に示すように、フック本体１は先端１ａの外側縁に段差１０を有し、第１ストッパ５が閉位置をとるとき、第１ストッパ５の第２部分５ｂの先端内側面がこの段差１０に衝突することによって、第１ストッパ５が閉位置を越えてさらに内向きに旋回することが規制される。
【００２８】
また、図４（Ｂ）に示すように、フック本体１の一対の基部１ｄのそれぞれの内側縁１ｅは、第２ストッパ６が閉位置をとるときに、第２ストッパ６の第１部分６ａの旋回軸側の側縁によって衝突されるような輪郭形状を有している。それによって、第２ストッパ６が閉位置を越えてさらに外向きに旋回することが規制される。
【００２９】
また、ピン７と、第１および第２ストッパ５、６との間には、第１および第２ストッパ５、６のそれぞれを開位置から閉位置に旋回する向きに弾性付勢するバネ１１が備えられる。
【００３０】
この実施例では、バネ１１はダブルトーションバネからなり、ダブルトーションバネ１１の本体１１ａがピン７に挿通されるとともに、連結部１１ｂが第１ストッパ５の第２部分５ｂの下部（第１部分５ａから下方にのびる部分）の内側面に当接し、両端の直線状の突出部１１ｃが第２ストッパ６の第１部分６ａの内側面に当接している。
【００３１】
また、この実施例では、フック本体１の一対の基部１ｄ間に、本発明のフックとロープを連結するための連結金具１２が取り付けられている。
連結金具１２は、円板状の頭部１２ａと、頭部１２ａの上面の中央に突設された円柱状の差込み部１２ｂと、差込み部１２ｂにおける頭部１２ａとの境界領域に差込み部１２ｂの軸のまわりに回転自在に取り付けられたＵ字状部材１２ｃと、Ｕ字状部材１２ｃの両腕の先端間にのびるロープ取付用ロッド１２ｄを有している。
【００３２】
さらに、連結金具１２の差込み部１２ｂには、その直径方向にのびる貫通孔（図示されない）が設けられている。一方、フック本体１の一対の基部１ｄのそれぞれには、この連結金具１２の貫通孔の径に対応する径の穴（図示されない）が設けられている。
そして、連結金具１２が基部１ｄに挿入されるとともに、一対の基部１ｄの当該穴と連結金具１２の貫通孔が重ね合わされた状態でリベット１３が打ち込まれ、それによって連結金具１２がフック本体１に結合されている。
【００３３】
次に、本発明のフックの動作について説明する。
常時は、第１および第２ストッパ５、６は共に閉位置をとり、フックは閉じた状態にあり、このとき、第２ストッパ６は、第１ストッパ５の内側（空間）に収容されて、第１ストッパ１と入れ子状に重なり合っている（図２（Ａ）および図３（Ａ）参照）。
【００３４】
そして、この状態から、第１ストッパ５がバネ１１の付勢力に抗して閉位置から外側に開位置まで旋回せしめられ（図２（Ｂ）および図３（Ｂ）参照）、続いて第２ストッパ６がバネ１１の付勢力に抗して閉位置から内側に開位置まで旋回せしめられることによって、フックが開いた状態となる（図２（Ｃ）および図３（Ｃ）参照）。
【００３５】
フックが開いた状態において、第１および第２ストッパ５、６が自由にされると、第１および第２ストッパ５、６はそれぞれバネ１１の付勢力によって開位置から閉位置まで旋回し、フックが閉じられる（図２（Ａ）および図３（Ａ）参照）。
【００３６】
こうして、本発明によれば、フックの構造を従来よりも簡単化し、部品点数も減らすことができ、よって、フックの製造コストを大幅に低下させることができる。
しかも、フックを開くためには、第１ストッパを開位置まで旋回させ、その状態を保持しつつ、続いて第２ストッパを開位置まで旋回させなければならない。すなわち、２つの操作を連続して行わなければフックを外すことができず、よって、法令で定められたフックの構造上の要件も満たされており、安全性も確保されている。
【００３７】
以上、本発明の好ましい実施例を説明したが、本発明の構成は上記実施例に限定されず、当業者が、本願に添付の特許請求の範囲に記載した構成の範囲内で種々の変形例を案出し得ることは言うまでもない。
例えば、上記実施例では、フック本体を２枚の金属板から形成し、フック本体が一対のの基部を備えるようにしたが、フック本体を単一の金属板から形成することもできる。
【００３８】
また、上記実施例では、第１および第２ストッパが互いに相似形となるコ字状横断面を有するようにし、フックが閉じた状態で、第２ストッパが第１ストッパの内側に収容されて、第１ストッパと入れ子状に重なり合うようにしたが、第１および第２ストッパの構成はこれに限定されず、第１ストッパが旋回方向の第２ストッパ側に開いた第２ストッパの収容空間を有し、フックが閉じた状態で第２ストッパが第１ストッパの収容空間に収容されるような構成であれば、どのような構成であってもよい。
【００３９】
また、上記実施例では、第１ストッパが閉位置をとるとき、第１ストッパの第２部分の先端内側面をフック本体先端の段差に衝突させることによって、第１ストッパが閉位置を越えてさらに内側に旋回することを規制する一方、第２ストッパが閉位置をとるとき、第２ストッパの第１部分の旋回軸側の側縁をフック本体基部の内側縁に衝突させることによって、第２ストッパが閉位置を越えてさらに外側に旋回することを規制したが、第１および第２ストッパの旋回を規制するための手段はこれに限定されない。
【００４０】
また、上記実施例では、フックにロープを連結するための手段として連結金具をフック本体に取り付けたが、フックにロープを連結するための手段はこれに限定されず、例えば、フック本体の基部にロープ連結用孔を設けてもよい。
【符号の説明】
【００４１】
１  フック本体
１ａ  先端
１ｂ  頭部
１ｃ  中間部
１ｄ  基部
１ｅ  内側縁
２ａ、２ｂ  金属板
３  リベット
４  ストッパ取付穴
５  第１ストッパ
６  第２ストッパ
７  ピン
８  取付穴
９  取付穴
１０  段差
１１  バネ（ダブルトーションバネ）
１１ａ  本体
１１ｂ  連結部
１１ｃ  突出部
１２  連結金具
１２ａ  頭部
１２ｂ  差込み部
１２ｃ  Ｕ字状部材
１２ｄ  ロープ取付用ロッド
１３  リベット
２０  本体
２０ａ  基部
２０ｂ  先端
２１  ストッパ
２１ａ  一端
２２  第１のピン
２３  ロック部材
２４  第２のピン
２５  スリット
２６  第３のピン
２７  ハンドル
２７ａ  一端
２８  第４のピン
【図１】
2019150231.tif 000003
【図２】
2019150231.tif 000004
【図３】
2019150231.tif 000005
【図４】
2019150231.tif 000006
【図５】
2019150231.tif 000007